(57)【要約】  本発明は、非侵襲的な皮膚治療装置（２００）を提供し、当該装置は：治療光（１５）を放つように構築される光源（１０）、皮膚組織（３００）の内側の焦点位置（３２０）に光学軸（ＯＡ）に沿って治療光の焦点を合わせるように構築される光学システム（２０）、及び、開口部（Ａ１）を有する皮膚接触面（３４）を含むインデンター（３０）であって、開口部を通って皮膚組織内に治療光の焦点が合わせられるのを可能にするために光学システムからある距離を置いて開口部（Ａ１）を有する、インデンター（３０）を含む。インデンターは、開口部が幅の寸法を有する光学軸に沿って及び断面方向に沿って得られた開口部の断面において、既定の圧力を超える圧力で特定の皮膚タイプの皮膚表面に対してインデンターを押しつけることによって、開口部を通って光学システムに向かって自由に突き出る皮膚組織の最大に曲がった隆起部を生成するように構成及び構築され、上記の最大に曲がった隆起部の皮膚表面は、光学軸との交点にて曲率半径（ＲＣ）を有する。光学システムは、上記の交点での上記の開口部の断面において、上記の最大に曲がった隆起部の皮膚表面の上記の曲率半径（ＲＣ）の７５％から１２５％に及ぶ曲率半径を有する波面を有する治療光の集束ビームを生成するように構成及び構築される。
2016540554.tif 000002
【特許請求の範囲】
【請求項１】
皮膚組織の光ベースの治療のための皮膚治療装置であって、
治療光を放つように構築される光源と、
前記皮膚組織内側の焦点位置に光学軸に沿って前記治療光の焦点を合わせるように構築される光学システムと、
開口部を有する、皮膚接触面を含むインデンターであり、前記開口部を通って前記皮膚組織内へと前記治療光の焦点が合わされるのを可能にするために前記光学システムからある距離を置いて開口部を有し、当該インデンター及び前記開口部は、前記開口部が幅の寸法を有する前記光学軸に沿って及び断面方向に沿って得られた前記開口部の断面において、皮膚組織の最大に曲がった隆起部を生成するように構成及び構築され、既定の圧力を超える圧力で特定の皮膚タイプの皮膚表面に対して前記インデンターが押しつけられた場合に、前記隆起部は、前記開口部を通って前記光学システムに向かって自由に突き出て、前記特定の皮膚タイプに対する前記既定の圧力を超えると、前記自由に突き出る曲がった隆起部は、依然として変わらないままであり、前記最大に曲がった隆起部の皮膚表面は、前記光学軸との交点にて曲率半径を有する、インデンターと、
を含み、
前記光学システムは、前記交点での前記開口部の断面において、前記最大に曲がった隆起部の皮膚表面の前記曲率半径の７５％から１２５％に及ぶ曲率半径を有する波面を有する前記治療光の集束ビームを生成するように構成及び構築される、皮膚治療装置。
【請求項２】
前記開口部の前記幅の寸法は２ミリメートル未満である、請求項１に記載の皮膚治療装置。
【請求項３】
前記既定の圧力は、１．４３ニュートン毎平方センチメートルである、請求項２に記載の皮膚治療装置。
【請求項４】
前記波面の曲率半径は、前記最大に曲がった隆起部の皮膚表面の前記曲率半径の９５％から１０５％に及ぶ、請求項１に記載の皮膚治療装置。
【請求項５】
前記インデンターは、当該皮膚治療装置に取り外し可能に取りつけられ、さらに、前記開口部とは異なるさらなる開口部を有するさらなるインデンターと取り替えられる、請求項１に記載の皮膚治療装置。
【請求項６】
前記開口部の断面方向を横切る方向における前記開口部の寸法は２ミリメートルを超える、請求項１又は２に記載の皮膚治療装置。
【請求項７】
前記光学システムは、前記皮膚組織内側に複数の空間的に別々の焦点位置を生成するように構成及び構築され、さらに、前記インデンターは複数の開口部を含み、該複数の開口部は、前記複数の焦点位置のそれぞれ１つの焦点位置にそれぞれ関連し、さらに、前記皮膚組織の最大に曲がった隆起部を生成するようにそれぞれ構成及び構築され、前記光学システムは、前記治療光の複数の集束ビームを生成するように構成及び構築され、前記複数の集束ビームは、前記交点での前記関連した開口部の断面において、前記最大に曲がった隆起部の皮膚表面の前記曲率半径の７５％から１２５％に及ぶ曲率半径を有する波面をそれぞれ有する、請求項１に記載の皮膚治療装置。
【請求項８】
前記インデンターは、弾性要素を介して当該皮膚治療装置に取りつけられる、請求項１に記載の皮膚治療装置。
【請求項９】
前記インデンターを使用中に前記皮膚表面に対して押しつける圧力を測定するための圧力センサ、及び、該圧力センサによって測定された前記圧力が前記既定の圧力を超えている場合にのみ前記治療光を放つように前記光源を制御するように構成される制御回路を含む、請求項１に記載の皮膚治療装置。
【請求項１０】
前記光学軸との交点での前記最大に曲がった隆起部の位置及び／又は曲率を感知するための曲率センサをさらに含む、請求項１に記載の皮膚治療装置。
【請求項１１】
前記曲率センサは、光学センサ、静電容量センサ及び反射光センサを含むリストから選択される、請求項１０に記載の皮膚治療装置。
【請求項１２】
前記光学システムは、前記曲率センサからの信号に応じて前記皮膚組織内側の焦点位置の場所を適応させるように構成される、請求項１０又は１１に記載の皮膚治療装置。
【請求項１３】
前記曲率センサは、前記最大に曲がった隆起部の皮膚表面から反射した治療光の焦点を、検出器上に合わせるように構成される、請求項１０、１１又は１２に記載の皮膚治療装置。
【請求項１４】
前記開口部は、円形、楕円形、四角形、長方形又は多角形を有する、請求項１に記載の皮膚治療装置。
【請求項１５】
前記開口部は、２５マイクロメートルから２００マイクロメートル、好ましくは、５０マイクロメートルから１５０マイクロメートルの範囲の曲率半径を有する周縁を含む、請求項１に記載の皮膚治療装置。
【請求項１６】
前記治療光は、３５０ナノメートルから１０マイクロメートルの範囲、好ましくは、４００ナノメートルから３マイクロメートルの範囲の波長を有する、請求項１に記載の皮膚治療装置。
【発明の詳細な説明】
【技術分野】
【０００１】
本発明は、一般に、光を使用した皮膚の治療に関し、特に、皮膚組織への光結合を提供する皮膚治療装置に関する。
【背景技術】
【０００２】
皮膚におけるしわを防ぐ又は減らすことによって若々しい外見を維持する望みは、ヒトの社会において重要な課題である。多くの技術が、上記の課題を成し遂げるように設計されてきた。その技術の１つは、例えば、特許文献１から既知であり、治療されることになる皮膚の真皮層において焦点をもたらすことである。特許文献１は、レーザ源及びフォーカシングオプティクスを有した皮膚治療装置を開示している。この装置は、レーザビームを放つ。レーザのパワーは、レーザ誘起光学破壊（ＬＩＯＢ：Ｌａｓｅｒ  Ｉｎｄｕｃｅｄ  Ｏｐｔｉｃａｌ  Ｂｒｅａｋｄｏｗｎ）が皮膚に影響を与えて、皮膚組織の再生を刺激し且つしわを減らすように選択される。このＬＩＯＢは、皮膚組織によるレーザ光の強力な非線形吸収に基づいており、レーザ光のパワー密度に対する特定の閾値を超えて発生する。
【０００３】
ＬＩＯＢに加えて、皮膚組織の表皮又は真皮において顕微鏡的熱損傷をもたし、ダメージを受けた皮膚組織の再生を刺激して、皮膚組織を若返らす且つしわを減らす、フラクショナル光熱融解等の他の光ベースの治療プロセスも既知である。皮膚組織内側の光ベースの治療（上記のレーザ誘起光学破壊及びフラクショナル光熱融解等）を介した若返りプロセスは、組織内の局所的な領域における高い光子密度を要求する。光が皮膚組織を通って伝播する場合、波面の吸収、散乱及び変形が、焦点位置にて光の比較的広域な分布、及び、比較的広域な焦点にわたる光エネルギーの分布をもたらすことが多くある。高強度の要求、及び、比較的大きい焦点にわたる光の広がりのため、皮膚組織の光ベースの治療を行うのに必要な治療光の全体の強度が上げられる。これは、典型的には、そのような皮膚治療装置において使用される光源によって満たされるべき要求を増やし、上記の皮膚治療装置をより高価にし、さらに、上げられた治療光の全体の強度は、治療位置を取り囲む皮膚組織へのあり得るダメージを増やし、これもまた望ましくない。
【０００４】
その結果、既知の皮膚治療装置が過剰な光エネルギーを使用してこの光ベースの治療プロセスをもたらすのを要求する既知の皮膚治療装置において、焦点位置に光源からの治療光の焦点を合わせる質は最適ではない。
【先行技術文献】
【特許文献】
【０００５】
【特許文献１】ＷＯ２００８／００１２８４  Ａ２
【発明の概要】
【発明が解決しようとする課題】
【０００６】
本発明の目的は、皮膚治療装置のために、皮膚組織内側へのより効果的な光送達を提供することである。
【課題を解決するための手段】
【０００７】
上記の目的は、皮膚治療装置による本発明に従い達成され、当該皮膚治療装置は：
治療光を放つように構築される光源と、
皮膚組織内側の焦点位置に、光学軸に沿って治療光の焦点を合わせるように構築される光学システムと、
開口部を有する、皮膚接触面を含むインデンターであって、開口部を通って皮膚組織内へと治療光の焦点が合わされるのを可能にするために光学システムからある距離を置いて開口部を有し、インデンター及び開口部は、開口部が幅の寸法を有する光学軸に沿って及び断面方向に沿って得られた開口部の断面において、皮膚組織の最大に曲がった隆起部を生成するように構成及び構築され、既定の圧力を超える圧力で特定の皮膚タイプの皮膚表面に対してインデンターが押しつけられた場合に、隆起部は、開口部を通って光学システムに向かって自由に突き出て、特定の皮膚タイプに対する既定の圧力を超えると、自由に突き出る曲がった隆起部は、依然として変わらないままであり、上記の最大に曲がった隆起部の皮膚表面は、光学軸との交点にて曲率半径を有する、インデンターと、
を含み、
光学システムは、上記の交点での上記の開口部の断面において、上記の最大に曲がった隆起部の皮膚表面の上記の曲率半径の７５％から１２５％に及ぶ曲率半径を有する波面を有する治療光の集束ビームを生成するように構成及び構築される。
【０００８】
本発明は、特定の開口部を有するインデンターを皮膚表面に対して押しつける場合に、皮膚の変形の結果として、皮膚の隆起部が開口部において生じるという洞察に基づく。この皮膚の隆起部は、光学システムに向かって開口部内で自由に突き出る。本発明者等は、この自由に突き出る隆起部の曲率は、主に、開口部の寸法次第であり、皮膚表面からの隆起部の高さ及び隆起部の曲率等、自由に突き出る隆起部の特徴は、インデンターを皮膚表面に対して押しつける圧力が既定の圧力を超えている限り、比較的変わらないままであるということを見つけた。従って、インデンターを皮膚に対して押しつける圧力が既定の圧力を超えている場合に、開口部において生じる曲率は最大であり、すなわち、その皮膚表面にて最小の曲率半径を有する最大に曲がった隆起部を形成し、さらに、圧力がさらに上げられた場合に実質的に維持される。本発明に関連して、「自由に」突き出るは、インデンターを皮膚表面に対して押しつける圧力の影響下で、皮膚は、いかなる抵抗も経験することなく、特に、いかなる物体にも接触する又は隣接することなく開口部内に自由に変形するのを可能にされるということを意味する。本発明者等は、光学システムは、最大に曲がった隆起部の表面にて、上記の最大に曲がった隆起部の皮膚表面の曲率半径の７５％から１２５％に及ぶ曲率半径を有する波面を有する治療光の集束ビームを生成するように構成されてもよいということをさらに理解した。この方法で、波面は、ほぼ又は完全に、最大に曲がった隆起部に一致するか又はマッチし、これは、皮膚治療装置の光学システムによって治療光のビームの焦点が皮膚組織内に合わせられる質を改善する。この焦点合わせの質の改善は球面収差の激しい減少の結果であり、この球面収差の激しい減少は、波面と皮膚の隆起部の皮膚表面との上記の実質的な又は完全な一致により、ビームの光線が、皮膚表面に対して垂直に又はほぼ垂直に伝播するという事実によって引き起こされる。結果として、焦点合わせがより定められ、さらに、焦点はより小さくあってもよく、より少ない光エネルギーの広がりをもたらし、さらに、光ベースの皮膚治療を行うのに要求される全パワーを減らす。
【０００９】
隆起部の高さは、インデンターの皮膚接触面から測定される、隆起部が開口部に侵入する距離として定義される。この隆起部の高さは、隆起部の皮膚表面の曲率と共に、隆起部の表面での波面の曲率が隆起部の曲率に実質的に一致するということを確実にするのに重要である。しかし、本発明者等は、曲率に加えて、隆起部の高さも、インデンターを皮膚表面に対して押しつける圧力が既定の圧力を超える場合に実質的に一定になるということを見つけた。これは、特に、５ミリメートル未満、好ましくはさらに３ミリメートル未満の開口部の断面の幅の寸法にて発生する。例えば、約２ミリメートルの寸法を有する開口部に対する既定の圧力は、約１．４３ニュートン毎平方センチメートルであり、比較的小さい。従って、皮膚治療装置が使用される場合に、皮膚治療装置は、典型的には、例えば呼び圧力にて皮膚表面に対して押しつけられる。この例において、１．４３ニュートン毎平方センチメートルを超える呼び圧力を使用することは、隆起部の高さ及び隆起部の表面の曲率半径が一定になるようにする、すなわち、隆起部が最大になるようにするであろう。この例において、１．４３ニュートン毎平方センチメートルを超える圧力を用いて、曲がった皮膚の隆起部は、最大に曲がった隆起部であり、すなわち、その表面にて最小の曲率半径を有する。治療光の焦点を合わせるように光学システムを正確に適応させることによって、最大に曲がった隆起部の皮膚表面の曲率半径の７５％から１２５％に及ぶ波面の曲率半径を、最大に曲がった隆起部の表面の位置にて、特に、光ビームの光学軸との上記の表面の交点にて生成することが可能になる。例えば、ルックアップテーブルが、多くの特定の皮膚タイプに対して、開口部の好ましい幅の寸法及び最小の既定の圧力を示すために使用されてもよい。最大に曲がった皮膚の隆起部の高さが、既定の圧力を超える圧力で皮膚表面に対してインデンターを押しつけた場合に実質的に一定であるという事実は、焦点が合わせられた治療光の波面の曲率半径が、所定の許容誤差範囲内で、最大に曲がった隆起部の皮膚表面の曲率半径に一致するように、光学システムの集束素子に対する皮膚の隆起部の表面の位置を制御することを可能にする。そのような状況において、実質的に全ての治療光が皮膚表面に垂直又はほぼ垂直に突き当り、これは、皮膚組織内に焦点が合わせられた治療光の球面収差を有意に減らす。
【００１０】
皮膚治療装置の一実施形態において、開口部の幅の寸法は２ミリメートル未満である。本明細書において先に述べたように、比較的小さい開口部の幅の寸法で、最大に曲がった隆起部を達成するのに要求される既定の圧力は比較的小さい。そのようなものとして、開口部の断面の幅の寸法を２ミリメートル未満であるように選択することによって、正常な使用において、皮膚治療装置を皮膚表面に対して押しつける通常の呼び圧力は、既定の圧力をすでに超えているということが確実にされる。しかし、開口部の断面の寸法が２ミリメートル未満であるのが好ましいということには別の理由がある。皮膚組織の光ベースの治療において典型的に使用される治療光の波長は、約１０６４ナノメートルである。この波長は、皮膚組織内への比較的大きい侵入深さを有する。しかし、１０６４ナノメートルの波長を有する光さえも、皮膚組織内への２ミリメートル未満の効果的な侵入深さを有する。２ミリメートルの開口部の場合、波面の曲率半径を最大に曲がった隆起部の曲率半径に実質的に一致させるために、上記の最大に曲がった隆起部の皮膚表面の曲率半径は、インデンターがヒトの顔の皮膚表面に対して適用される場合に、光学システムが、光の焦点を皮膚組織内に約２．４ミリメートルに合わせることを要求する。これは、使用される治療光の皮膚内への最大の侵入深さをすでに超えているであろう。従って、より大きいインデンターの開口部を有する皮膚治療装置を使用することは、皮膚組織内へのさらに深い治療光の侵入を要求し、これは、光ベースの皮膚治療において他の好ましくない治療光の使用を要求するであろう。従って、皮膚治療装置の一実施形態において、既定の圧力は１．４３ニュートン毎平方センチメートルである。皮膚治療装置のさらなる実施形態において、波面の曲率半径は、上記の最大に曲がった隆起部の皮膚表面の曲率半径の９５％から１０５％に及ぶ。そのようなより低い許容誤差は、波面の曲率と最大に曲がった隆起部の曲率とのより優れたマッチングだけでなく、皮膚組織内への焦点合わせによる波面収差のより激しい減少ももたらす。
【００１１】
皮膚治療装置の一実施形態において、インデンターは、皮膚治療装置に取り外し可能に取りつけられ、さらに、上記の開口部とは異なるさらなる開口部を有するさらなるインデンターと取り替えられる。異なる幅の寸法を有するさらなる開口部を使用することは、皮膚治療装置が異なる既定の皮膚タイプに対して使用される場合に有益であり得る。最大に曲がった隆起部は、皮膚組織の粘弾性特性により生じる。これらの皮膚組織の粘弾性特性は、皮膚タイプによって異なり得る。異なる皮膚タイプは、ヒト又は動物の体の実質的に同じ位置での皮膚タイプ間の遺伝学的な差、及び、皮膚タイプ間の年齢差を含む。異なる皮膚タイプは、ヒト又は動物の体の異なる位置での皮膚タイプの差も含む。皮膚治療装置を適用した場合、皮膚組織の粘弾性特性が、皮膚表面に対してインデンターを適用することによって生成される最大に曲がった隆起部を決定する。従って、例えば顔の皮膚の光ベースの治療から、他の体の部分の光ベースの治療に変える場合に、最大に曲がった隆起部が、光学システムによって焦点が合わせられる治療光の波面の半径の７５％から１２５％に及ぶ曲率半径を有するということを確実にするために、インデンターは、さらなるインデンターと取り替えられる必要があり得る。或いは、取り替えられるインデンターの代わりに、調整可能な幅の寸法を有する調整可能な開口部が使用され、光ベースの治療が行われることになる皮膚タイプに従って開口部の断面の幅の寸法を調整してもよい。
【００１２】
皮膚治療装置の一実施形態において、開口部の断面方向を横切る方向における開口部の寸法は２ミリメートルを超える。この実施形態において、開口部は、例えば、細長い開口部であり、例えば、光学システムが細長い焦点をもたらす場合に使用され得る。或いは、細長い開口部は、本発明に従って皮膚治療装置によって同時に又は順次照射される皮膚組織内側の焦点位置のアレイと組み合わせて使用されてもよい。そのような一実施形態において、最大に曲がった隆起部の曲率半径は、１つの方向においてのみ、すなわち、開口部がその幅の寸法を有する光学軸に沿って及び断面方向に沿って得られる開口部の断面においてのみ、光源によって生成される複数の波面の曲率半径にマッチする。これは理想的な状況ではないけれども、１つの方向のみにおけるこの波面の曲率半径と、最大に曲がった隆起部の曲率半径とのマッチングは、球面収差の減少が観察されるように、皮膚組織への治療光の全体の焦点合わせの質をすでに改善している。これは、皮膚組織の光ベースの治療に要求される治療光の全体の強度の要求をすでに減らしている。
【００１３】
皮膚治療装置の一実施形態において、光学システムは、皮膚組織内側に複数の空間的に別々の焦点位置を生成するように構成及び構築され、さらに、インデンターは複数の開口部を含み、複数の開口部は、上記の複数の焦点位置のそれぞれ１つの焦点位置にそれぞれ関連し、さらに、皮膚組織の最大に曲がった隆起部を生成するようにそれぞれ構成及び構築され、光学システムは、治療光の複数の集束ビームを生成するように構成及び構築され、複数の集束ビームは、上記の交点での上記の関連した開口部の断面において、上記の最大に曲がった隆起部の皮膚表面の上記の曲率半径の７５％から１２５％に及ぶ曲率半径を有する波面をそれぞれ有する。この実施形態の利点は、皮膚組織内側の多数の位置を、皮膚治療装置によって同時に治療することができるということである。特に、開口部の断面の幅の寸法が２ミリメートル未満である場合に、皮膚治療装置は、この同時の治療を確実にするために複数の開口部を比較的容易に含み得る。複数の開口部は、一次元アレイ又は二次元アレイで配置されてもよい。さらに、皮膚治療装置は、異なる開口部のアレイを有する異なるインデンターを含んでもよく、２つの隣接する開口部間の距離は、インデンターによって異なる。そのような一実施形態において、ユーザは、皮膚組織内側の空間的に分けられた焦点位置又は治療位置の密度を選んでもよく、さらに、焦点位置又は治療位置の密度における相違は、一部の特定の皮膚組織の光ベースの治療に対して好ましくあり得る。
【００１４】
皮膚治療装置の一実施形態において、インデンターは、弾性要素を介して皮膚治療装置に取りつけられる。弾性要素を使用することによって、インデンターを皮膚の表面に適用する圧力が、既定の圧力を超えるということが確実にされる。例えば、皮膚治療装置は、例えば、加えられる圧力により弾性要素の長さが少なくとも部分的に減らされるまで、皮膚表面に対して押しつけられるべきである。これが発生する場合、加えられる圧力は、最大に曲がった皮膚の隆起部をもたらすために皮膚表面に対してインデンターを押しつけなければならない既定の圧力を超える。そのような弾性要素を使用する場合のさらなる利点は、それが、常に実質的に同じ圧力が皮膚治療装置を使用した治療の間に加えられるのを確実にするということである。例えば、弾性要素がばねである場合、圧力は、ばねが縮むまで上げられてもよいが、ばねが完全に圧縮されるまで上げられることはない。このように、皮膚表面に対してインデンターを適用する圧力が、ヒト又は動物の体の異なる位置にて実質的に同じであるということが確実にされる。
【００１５】
代わりとなる実施形態において、皮膚治療装置は、インデンターを使用中に皮膚表面に対して押しつける圧力を測定するための圧力センサ、及び、圧力センサによって測定された圧力が既定の圧力を超えている場合にのみ治療光を放つように光源を制御するように構成される制御回路を含む。この構成において、圧力センサは、一種の起動ボタンとして機能してもよく、感知された圧力が既定の圧力を超えるとすぐに、皮膚治療装置は、光源を起動して治療を開始することができる。或いは、圧力センサは、感知された圧力が既定の圧力を超えるとすぐに、光ベースの治療を始めることができるように、例えば可聴又は可視の信号をユーザに提供することができる。そのような圧力センサは、例えば、圧電センサであってもよいが、いかなる他の圧力センサも使用することができる。本発明による皮膚治療装置において圧力センサを有することのさらなる利点は、異なる既定の圧力レベルを、皮膚治療装置の異なるインデンターに対して使用することができるということである。圧力センサは、異なるインデンターを使用する場合に、又は、異なる皮膚タイプの上でインデンターを使用する場合に、異なるレベルに手動で設定されてもよい。或いは、皮膚治療装置がインデンターを認識し、例えば、異なる皮膚タイプ及び異なるインデンターに対して要求される圧力レベルを示す（例えば皮膚治療装置のどこかに保存される）さらなるルックアップテーブルにおいて対応する又は要求される既定の圧力レベルを探索することを介して等、自動的に、異なる既定の圧力レベルを使用することができる。
【００１６】
皮膚治療装置の一実施形態において、皮膚治療装置は、光学軸との交点での、最大に曲がった隆起部の位置及び／又は曲率を感知するための曲率センサをさらに含む。そのような曲率センサは、波面の位置及び／又は曲率半径が所定の最大に曲がった隆起部の感知された位置及び／又は感知された曲率半径の範囲内にあるということを確実にするために、皮膚治療装置の光学システムによって生成される焦点の位置を適応させるように使用されてもよい。加えて、又は、或いは、曲率センサは、隆起部が正しい位置に置かれるということを確実にするために、開口部における最大に曲がった隆起部の高さを感知してもよい。そのような曲率センサを使用することは、単一のインデンターが異なる皮膚タイプに対して使用されるのを可能にすることができ、それは、位置及び／又は曲率における差異を測定することができ、さらにおそらく、皮膚治療装置によって訂正することができるためである。そのような曲率センサは、光学センサ、静電容量センサ及び反射光センサを含むリストから選択されてもよい。これらのセンサのいずれも、最大に曲がった隆起部の位置及び／又は曲率半径を決定するために使用することができる。光学センサは、例えば、皮膚接触面を超える最大に曲がった隆起部の高さを感知するために、皮膚治療装置の光学軸に対して実質的に垂直の低出力レーザビームを生成することができる。静電容量センサによって生成される容量性信号が、静電容量センサと皮膚表面との距離が変わる場合に変わるため、静電容量センサも、開口部における最大に曲がった隆起部の位置を決定するために使用することができる。静電容量センサは、例えば、曲がっていてもよく、従って、静電容量センサは、容量性測定から得られる最大に曲がった隆起部の曲率の質に関する情報を提供することもできる。曲率センサは、例えば、最大に曲がった隆起部の皮膚表面から反射した治療光の焦点を、検出器上に合わせるように構成されてもよい。反射した治療光の強度は、最大に曲がった隆起部の曲率の質次第であってもよく、さらに、検出器からのフィードバック信号を、圧力若しくは開口部の断面の寸法、又は、或いは、光学システムによって生成される焦点位置を適応させるように使用して、最大に曲がった隆起部の皮膚表面での治療光の波面の曲率半径が、所定の許容誤差範囲内で、最大に曲がった隆起部の皮膚表面の曲率に一致するということを確実にしてもよい。特に、焦点位置の調整は、比較的容易に行うことができ、従って、皮膚治療装置は、インデンターを変えることなく、異なる皮膚タイプに対して使用することができる。代わりに、光学システムの焦点合わせは、波面の曲率半径が、所定の許容誤差範囲内で、インデンターを皮膚表面に対して押しつけることによって生成される最大に曲がった隆起部の曲率半径にマッチするように調整される。
【００１７】
皮膚治療装置の一実施形態において、光学システムは、曲率センサからの信号に応じて皮膚組織内側の焦点位置の場所を適応させるように構成される。本明細書において先に述べられたように、そのような曲率センサからの信号は、曲がった隆起部の表面での焦点が合わせられた治療光の波面の曲率半径が、所定の許容誤差範囲内で、最大に曲がった隆起部の曲率半径に一致するように、光学システムが皮膚組織内側の焦点位置を適応させるのを可能にするフィードバック信号であってもよい。曲率センサからの信号が、隆起部の実際の曲率が波面の曲率とは違い過ぎ、それは、皮膚組織内側の焦点位置を適応させることによって訂正することができないように違い過ぎるということを示す場合、皮膚治療装置は、例えば、可視又は可聴の信号をユーザに提供することができ、おそらく、治療を依然として実行することができるということを確実にするように皮膚治療装置に対する変化を示唆することができる。そのような示唆は、例えば、インデンターを、光学システムを使用して訂正することができる最大に曲がった隆起部をもたらすことが可能な異なるインデンターと取り替えるという示唆を含んでもよい。
【００１８】
皮膚治療装置の一実施形態において、開口部は、円形、楕円形、四角形、長方形又は多角形を有する。特に、治療光ビームの光学軸に関して対称的な円形の開口部、正三角形の開口部、正方形の開口部又は別の多角形の開口部を使用することによって、光学軸との交点での最大に曲がった隆起部の表面の形状は実質的にドーム形状であり、これは、そのような円形又は多角形の開口部によって、上記のドーム形状との、焦点が合わせられた治療光ビームの波面の曲がった形状の実質的に三次元のマッチングを可能にする。これは、皮膚組織への治療光の最適な焦点合わせをもたらし、さらに、非常に低い球面収差をもたらす。皮膚治療装置の一実施形態において、開口部は、２５マイクロメートルから２００マイクロメートル、好ましくは、５０マイクロメートルから１５０マイクロメートルの範囲の曲率半径を有する周縁を含む。皮膚治療装置のさらなる実施形態において、インデンターの皮膚接触面は、非腐食性材料で構成される。皮膚治療装置のさらなる実施形態において、治療光は、３５０ナノメートルから１０マイクロメートルの範囲、好ましくは、４００ナノメートルから３マイクロメートルの範囲の波長を有する。
【図面の簡単な説明】
【００１９】
【図１】本発明による皮膚治療装置の一実施形態の概略図である。
【図２】本発明による皮膚治療装置に対するインデンター構造の第１の実施形態の概略図である。
【図３】本発明による皮膚治療装置に対するインデンター構造の第２の実施形態の概略図である。
【図４】インデンターの開口部の異なる断面の幅の寸法に対する、曲がった隆起部の曲率特性の実験結果を示した図である。
【図５】曲がった隆起部の曲率半径と、開口部の断面の幅の寸法との関係を示した図である。
【図６】本発明による曲率センサの一実施形態の概略図である。
【発明を実施するための形態】
【００２０】
異なる図において同じ参照番号を有するアイテムは、同じ構造的特徴及び同じ機能を有する、又は、同じ信号を構成するということに留意するべきである。そのようなアイテムの機能及び／又は構造が説明されてきた場合、詳細な記載でのその繰り返しの説明の必要はない。
【００２１】
図１は、本発明による皮膚治療装置２００の一実施形態を概略的に示している。本発明による皮膚治療装置２００は、例えばコントローラ２４０、制御回路と、電池等の動力供給手段２５０とを接続するための接続要素（図示せず）、又は、商用電源（ｍａｉｎｓ  ｐｏｗｅｒ  ｓｕｐｐｌｙ）（図示せず）への接続を含むハウジング２１０を含む。さらに、皮膚治療装置２００は、典型的に、皮膚治療装置２００のオン／オフスイッチ等、スイッチ２２０を含む。光源１０も、図１に示されているように、皮膚治療装置２００において示されており、例えば、治療光１５（図２を参照）を生成するためのレーザ光源１０を含んでもよい。或いは、光源１０は、光学システム２０が、使用される場合、皮膚組織３００内へと光学軸ＯＡに沿って治療光１５の焦点を合わせるように、離れた光源（図示せず）から光学システム２０まで治療光１５を運ぶように配置されたガラス繊維管（ｆｉｂｅｒ  ｇｌａｓｓ  ｃｏｎｄｕｉｔ）（図示せず）の出力ウィンドウであってもよい。示された実施形態において光学システム２０の一部及びインデンター３０を含むインデンター構造１００、１０２も、本発明による皮膚治療装置２００において存在している。使用中、皮膚治療装置２００は、光学システム２０の、皮膚組織３００内の焦点位置３２０に向けた治療光１５の焦点合わせの質を高めるために、既定の圧力を超える圧力にて皮膚表面３００に対して押しつけられ、最大に曲がった隆起部３３０を生成する（図２を参照）。
【００２２】
図２は、本発明による皮膚治療装置２００に対するインデンター構造１００の第１の実施形態を概略的に示している。図２は、皮膚組織３００内に治療光１５の焦点を合わせる光学システム２０の一部を示している。焦点が合わせられた治療光１５が、開口部Ａ１の内側で自由に突き出ている曲がった隆起部３３０の皮膚表面３１０に向かって進むに従った、焦点が合わせられた治療光１５の波面ＷＦも示されている。インデンター３０が皮膚表面３１０に対して押しつけられる圧力が既定の圧力を超える場合、特定の皮膚タイプに対して特定の幅の寸法ｄ１を有する開口部Ａ１の内側で自由に突き出ている曲がった隆起部３３０の曲がった皮膚表面の曲率半径ＲＣは明確であり、上記の曲がった隆起部は、最大に曲がった隆起部３３０を構成する。光学システム２０は、光学軸ＯＡ付近の最大に曲がった隆起部３３０の皮膚表面３１０にて、特に、光学軸ＯＡと最大に曲がった隆起部３３０の表面との交点にて波面ＷＦを生成するため等、治療光１５の焦点を合わせるように構成及び配置される。この実施形態において、焦点が合わせられた治療光１５の波面ＷＦの曲率半径は、最大に曲がった隆起部３３０の曲率半径に実質的に一致する。そのような状況において、皮膚組織３００に侵入する場合の治療光１５の波面ＷＦの擾乱（ｄｉｓｔｕｒｂａｎｃｅ）は比較的低く、従って、皮膚組織３００内側の焦点位置３２０は比較的明確である。
【００２３】
曲がった隆起部３３０の表面にて、特に、光学軸ＯＡと上記の表面との交点にて、波面ＷＦの曲率半径が、最大に曲がった隆起部３３０の曲率半径ＲＣに実質的にマッチするということを確実にするために、皮膚組織３００の内側の焦点位置３２０と、最大に曲がった隆起部３３０の表面との距離は、最大に曲がった隆起部３３０の曲率半径ＲＣに実質的に等しいべきである。その結果、皮膚組織３００の内側の焦点位置３２０は、最大に曲がった隆起部３３０の曲率半径ＲＣに合わせられた円の中心に実質的にマッチしているべきである。次に、光学システム２０と、インデンター３０の皮膚接触面３４との距離、及び、光学システム２０の焦点距離Ｆ１は、光学システム２０の焦点位置３２０が、曲率半径ＲＣに合わせられた円の中心に実質的に一致するように選択されるべきである。
【００２４】
図２には、開口部Ａ１の断面のみが示されている。本明細書において先に述べられたように、開口部Ａ１は、例えば図２の描かれた断面を横切る方向において細長い等、細長い開口部であってもよい。そのような実施形態において、光学システム２０は、例えば、皮膚組織３００内に細長いフォーカスライン（ｆｏｃｕｓ  ｌｉｎｅ）で治療光１５の焦点を合わせることができ、そのような細長いフォーカスラインの波面ＷＦは、細長い開口部によって生成された細長い隆起部の形状に実質的にマッチしている。或いは、光学システム２０は、皮膚組織３００において、単一の細長い開口部を通って全て焦点が合わされた治療スポット（図示せず）のアレイを生成してもよい。そのような実施形態において、治療スポットのアレイにおける焦点が合わされた治療光１５の波面ＷＦの曲率半径のみが、開口部Ａ１の１つの方向において、曲がった隆起部３３０の曲率半径に実質的に一致する。そのような状況において、一部の残りの球面収差が存在しているであろうけれども、１つの方向における波面ＷＦの曲率半径と最大に曲がった隆起部３３０の曲率半径ＲＣとのマッチングは、本発明による皮膚治療装置２００の全体の画質をすでに改善しているであろう。光学軸ＯＡに関して対称的である対称的な開口部Ａ１を使用する場合、光学軸ＯＡでの曲がった隆起部３３０は、実質的にドーム形状であり、波面ＷＦの曲率と、曲がった隆起部３３０の曲率ＲＣとの実質的に三次元のマッチを可能にする。そのような開口部は、例えば、円形の開口部Ａ１、正三角形の開口部Ａ１、正方形の開口部Ａ１又は別の対称的な多角形の開口部Ａ１であってもよい。これは、皮膚組織３００内への治療光１５の最適な焦点合わせ、及び、非常に低い球面収差をもたらすであろう。
【００２５】
図２において示されているインデンター構造１００は、弾性要素４０をさらに含む。そのような弾性要素４０は、インデンター３０を皮膚表面３１０に対して適用する圧力が、既定の圧力を超えるということを確実にするために使用することができる。例えば、皮膚治療装置２００は、例えば弾性要素４０の長さが、加えられた圧力により少なくとも部分的に減らされるまで、皮膚表面３１０に対して押しつけることができる。これが生じる場合、加えられた圧力は、皮膚表面３１０に対する既定の圧力を超える。そのような弾性要素４０を使用した場合のさらなる利点は、常に実質的に同じ圧力が、皮膚治療装置２００を使用した治療の間加えられるということを確実にするということである。例えば、弾性要素４０がばね４０である場合、圧力は、ばね４０が縮むまで上げられてもよいが、ばね４０が完全に圧縮されるまで上げられることはない。これは、インデンター３０を皮膚表面３１０に適用する圧力が常に実質的に同じであるということを確実にする。
【００２６】
弾性要素４０に加えて、又はその代わりに、インデンター構造１００は、圧力センサ５０を含んでもよい。圧力センサ５０は、例えば、使用中、皮膚表面３１０に対してインデンター３０によって加えられる圧力が、既定の圧力を超えるということを確実にすることができる。圧力センサ５０は、加えられた圧力を感知することができ、さらに、コントローラ２４０（図１を参照）が、例えば、この感知された圧力を解釈し、一種の起動ボタンとして機能することができる。感知された圧力が既定の圧力を超えるとすぐに、コントローラ２４０は、光源１０を起動して治療を開始することができる。或いは、コントローラ２４０は、例えば、光ベースの治療を開始することができるように、圧力センサ５０によって感知された圧力が既定の圧力を超えるとすぐに、ユーザに（可聴又は可視の）信号を生成してもよい。そのような圧力センサ５０は、例えば、圧電センサ５０であってもよいが、いかなる他の適した圧力センサ５０も使用することができる。本発明による皮膚治療装置２００において圧力センサ５０を有することのさらなる利点は、皮膚治療装置２００の異なるインデンター３０、３２（図３を参照）に対して、異なる既定の圧力レベルを使用することができるということである。コントローラ２４０及び／又は圧力センサ５０は、異なるインデンター３０、３２の使用が行われる場合に、又は、インデンター３０が異なる皮膚タイプにて使用される場合に、異なるレベルに手動で設定されてもよい。或いは、皮膚治療装置は、（例えばいかなるタイプの既知の有線又は無線の同定機構も介して）インデンター３０を認識し、さらに、異なる既定の圧力レベルを自動的に使用することができ、それは、対応する又は要求される既定の圧力レベルを、例えば異なる皮膚タイプ及び異なるインデンター３０、３２に対する要求される圧力レベルを示すさらなるルックアップテーブル（図示せず）から探索することによって行うことができる。
【００２７】
図３は、本発明による皮膚治療装置２００に対するインデンター構造１０２の第２の実施形態を概略的に示している。この実施形態において、光学システム２２は、皮膚組織３００の内側に複数の空間的に別々の焦点位置３２２を生成するように構築される。図３に示されている実施形態において、光学システム２２は、例えばレーザ光源１０（図示せず）からの治療光１５の焦点を、動くミラー２２Ｂに合わせるための第１の光学素子２２Ａを含み、動くミラー２２Ｂは、映写レンズ２２Ｃを介して、集束レンズ２２Ｄのアレイにおける個々の異なる集束レンズ２２Ｄまで、治療光１５の方向を順次変える。異なる集束レンズ２２Ｄのそれぞれは、個々の焦点位置３２２まで皮膚組織３００内へ個々の光学軸ＯＡｎに沿って治療光１５の焦点を合わせる。この異なる焦点位置３２２内への治療光１５の順次の位置合わせの利点は、光ベースの皮膚治療に対して要求される治療光１５の強度が、全ての治療光１５が複数の焦点位置３２２内へ順次焦点が合わされるため、比較的低いということである。代わりとなる実施形態において、ミラー２２Ｂは静的ミラー２２Ｂであってもよく、第１の光学素子２２Ａが、静的ミラー２２Ｂを介して、映写レンズ２２Ｃにわたって治療光１５を広げてもよい。この映写レンズ２２Ｃは、光が、皮膚組織３３０の内側の個々の焦点位置３２２内へ同時に焦点が合わされるように、集束レンズ２２Ｄのアレイにわたって治療光１５を広げる。
【００２８】
インデンター３２は複数の開口部Ａｎを含み、開口部Ａｎのそれぞれが、皮膚表面３１０から個々の開口部Ａｎ内に自由に突き出る複数の曲がった隆起部３３２を生成するための既定の断面の幅の寸法ｄｎを有する。複数の開口部Ａｎのそれぞれは、インデンター３２が、既定の圧力を超える圧力にて押しつけられる場合に個々の開口部Ａｎの内側に最大に曲がった隆起部３３２を生成するように構成及び構築される。最大に曲がった隆起部３３２のそれぞれの曲率半径ＲＣｎは、光学システム２２によって関連する焦点位置３３２内に焦点が合わされるように、治療光１５の波面ＷＦ（図示せず）の曲率半径に実質的に一致する。この実施形態の利点は、皮膚組織３００の内側の多数の位置が、皮膚治療装置２００によって同時に治療され得るということである。特に、開口部Ａｎの断面の幅の寸法ｄｎが２ミリメートル未満である場合に、皮膚治療装置２００は、複数の開口部Ａｎを比較的容易に含んで、この同時の治療を確実にすることができる。複数の開口部Ａｎは、一次元のアレイ又は二次元のアレイ（図示せず）で配置されてもよい。さらに、皮膚治療装置２００は、異なるインデンター３２を含んでもよく、２つの隣接する開口部Ａｎ間の距離は、インデンター３２によって異なる。特定のインデンター３２を選ぶことによって、ユーザは、皮膚組織３００の内側の焦点位置３３２の密度を選ぶことができる。焦点位置３２２の密度における相違は、皮膚組織３００の一部の特定の光ベースの治療に対して好ましくあり得る。
【００２９】
皮膚組織３００の内側に複数の焦点位置３２２を有してインデンター３２が使用される場合にも、図２に関して説明される弾性要素４０（図示せず）及び圧力センサ（図示せず）をここでも使用することができ、同じ又は類似の利点をもたらす。
【００３０】
図４は、異なる開口部の断面の幅の寸法ｄ１、ｄｎに対する曲がった隆起部３３０Ａ、３３０Ｂ、３３０Ｃの曲率特性の実験結果を示している。実験測定値にオーバーレイした実線は、異なる開口部の断面に対する最大に曲がった隆起部３３０（図示せず）を同定する近似曲線である。最も内側の実線は、５００マイクロメートルの断面の幅の寸法を有する円形の開口部ｄ１から生じた曲がった隆起部３３０Ａを表している。中央の実線は、７００マイクロメートルの断面の幅を有する円形の開口部ｄ１から生じた曲がった隆起部３３０Ｂを表している。外側の実線は、９００マイクロメートルの断面の幅を有する円形の開口部ｄ１から生じた曲がった隆起部３３０Ｃを表している。
【００３１】
図５は、曲がった隆起部３００の曲率半径ＲＣ（図２を参照）と、開口部の断面の幅の寸法ｄ１との関係を示している。図５におけるグラフは、横軸において、開口部の異なる断面の幅の寸法ｄ１をマイクロメートルで示しており、さらに、縦軸において、最大に曲がった隆起部３３０の曲率半径ＲＣをマイクロメートルで示している。ここでも、実験データに対して使用された開口部Ａ１は円形の開口部Ａ１であり、さらに、円形の開口部Ａ１によって生成された最大に曲がった隆起部３３０はドーム形状の隆起部である。データは、顔の頬でのヒトの顔の皮膚である１つの特定の皮膚タイプから得られる。図５において示されているグラフから見ることができるように、開口部の断面の幅の寸法ｄ１と、特定の皮膚タイプに対して作られた最大に曲がった皮膚の隆起部の曲率半径ＲＣとの関係は、既定の圧力を超える圧力を使用した場合に、以下の式
【００３２】
【数１】
2016540554.tif 000003
に従って実質的に比例関係である。
【００３３】
図６は、本発明による曲率センサ４００の一実施形態を概略的に示している。図６は、本発明による皮膚治療装置２００の光学システム２０及びインデンター３０の一部を示している。図６において例示されているように、インデンター３０は、皮膚表面３１０に対して押しつけられて、曲がった隆起部３３０、３３０Ａを作る。曲がった隆起部の曲率が最大に曲がった隆起部３３０に実質的に一致する場合、最大に曲がった隆起部の位置での治療光１５の波面（図示せず）の曲率半径は、最大に曲がった隆起部の曲率半径ＲＣと実質的に一致する。これは、治療光１５が皮膚組織３００内に焦点が合わされた場合に、比較的制限された球面収差をもたらす。図６において示されている曲率センサ４００の実施形態は、反射される治療光４１５、４１５Ａを反射するための半透明のミラー４３０を含み、フォーカシングオプティクス４２０を介して、反射された治療光４１５、４１５Ａの強度を検出するための検出器４１０上に反射する。第１の状況において、曲がった隆起部３３０Ａの曲率は正確ではないため、光学システム２０によって作られた波面（図示せず）の曲率は、曲がった隆起部３３０Ａの曲率に一致しない。そのような状況において、点線で示されている反射された治療光４１５Ａは、検出器４１０上に焦点が合わされることはなく、従って、検出器４１０によって測定される強度は比較的低い。これは、インデンター３０の開口部Ａ１が、皮膚治療装置２００が使用される皮膚組織３００の皮膚タイプに正確にマッチしないという事実によって、又は、インデンター３０が皮膚に対して適用される圧力が既定の圧力を超えないため引き起こされ得る。これを訂正するために、ユーザは、異なる開口部Ａ１を有する異なるインデンター３０を選択して、異なる曲がった隆起部３００を生成することができる。適応した曲がった隆起部３００から生じる反射された治療光４１５は、曲率センサ４００のフォーカシングオプティクス４２０によってセンサ４１０上に焦点が合わされ、検出器４１０の強度が比較的高くあるようにする実線４１５で示されており、これは、焦点が合わされた治療光１５の波面の曲率が、最大に曲がった隆起部３３０に実質的に一致するということを示している。
【００３４】
本明細書において先に述べられたように、インデンター３０を取り替える代わりに、本発明による皮膚治療装置２００の光学システム２０の焦点合わせの特徴も、曲率センサ４００の検出器４１０から受信した信号に従って適応させることができる。そのようなものとして、生成された曲がった隆起部３３０は同じまま残るが、皮膚組織３００の内側の焦点位置３２０（図２を参照）は、波面ＷＦ（図２を参照）の曲率半径が、曲がった隆起部３３０（図２を参照）の曲率半径ＲＣにマッチするように変えられることになる。
【００３５】
要約すると、本発明は、非侵襲的な皮膚治療装置２００を提供し、当該装置は：治療光１５を放つように構築される光源１０、皮膚組織３００の内側の焦点位置３２０に光学軸ＯＡに沿って治療光の焦点を合わせるように構築される光学システム２０、及び、開口部Ａ１を有する皮膚接触面３４を含むインデンター３０であって、開口部を通って皮膚組織内に治療光の焦点が合わせられるのを可能にするために光学システムからある距離を置いて開口部Ａ１を有する、インデンター３０を含む。インデンターは、開口部が幅の寸法を有する光学軸に沿って及び断面方向に沿って得られた開口部の断面において、既定の圧力を超える圧力で特定の皮膚タイプの皮膚表面に対してインデンターを押しつけることによって、開口部を通って光学システムに向かって自由に突き出る皮膚組織の最大に曲がった隆起部を生成するように構成及び構築され、上記の最大に曲がった隆起部の皮膚表面は、光学軸との交点にて曲率半径ＲＣを有する。光学システムは、上記の交点での上記の開口部の断面において、上記の最大に曲がった隆起部の皮膚表面の上記の曲率半径ＲＣの７５％から１２５％に及ぶ曲率半径を有する波面を有する治療光の集束ビームを生成するように構成及び構築される
上記の実施形態は、本発明を限定しているのではなく例示しているということ、及び、当業者は多くの代わりとなる実施形態を設計することが可能になるということに留意するべきである。
【００３６】
特許請求の範囲において、括弧内に置かれたいかなる参照番号も特許請求の範囲を限定するとして解釈するべきではない。「含む」という動詞及びその変化形の使用は、請求項に述べられたもの以外の要素又はステップの存在を除外しない。単数の要素を言及する際に不定冠詞又は定冠詞が使用されている場合は、そのような要素の複数形の存在を除外しない。本発明は、いくつか異なる要素を含むハードウェアによって、及び、適切にプログラムされたコンピュータによって実行することができる。いくつかの手段を列挙する装置の請求項において、これらの手段のうちいくつかを、ハードウェアの１つの同じアイテムによって具体化することができる。特定の手段が互いに異なる従属項において列挙されるという単なる事実は、これらの手段の組合せを使用して利することができないと示しているのではない。
【図１】
2016540554.tif 000004
【図２】
2016540554.tif 000005
【図３】
2016540554.tif 000006
【図４】
2016540554.tif 000007
【図５】
2016540554.tif 000008
【図６】
2016540554.tif 000009
【手続補正書】
【提出日】平成28年5月6日(2016.5.6)
【手続補正１】
【補正対象書類名】明細書
【補正対象項目名】０００４
【補正方法】変更
【補正の内容】
【０００４】
その結果、既知の皮膚治療装置が過剰な光エネルギーを使用してこの光ベースの治療プロセスをもたらすのを要求する既知の皮膚治療装置において、焦点位置に光源からの治療光の焦点を合わせる質は最適ではない。
特許文献２は、生物学的問題の複数の領域に光エネルギーを適用する方法を開示している。一実施形態において、空洞を形成する凹面を有するレンズが使用される。そのレンズは、レンズの皮膚との接触によって空洞が閉じられるように、皮膚の標的領域に近接して置かれる。レンズは開口部を含み、その開口部を介して、空洞に真空状態を適用することができる。空洞に真空状態を適用することによって、空洞の下の皮膚の標的領域は、レンズの凹面に対して空洞の中に引っ張られる。レンズは、皮膚の表面下の焦点領域に放射の焦点を合わせる。
【手続補正２】
【補正対象書類名】明細書
【補正対象項目名】０００５
【補正方法】変更
【補正の内容】
【０００５】
【特許文献１】ＷＯ２００８／００１２８４  Ａ２
【特許文献２】ＵＳ２００８／０２２１６４９  Ａ１
【国際調査報告】
2016540554.tif 000010
2016540554.tif 000011